(57)【要約】【課題】疑似餌本体の重量調整を容易に行なえ、調整用の錘が脱落し難いとともに、着水後に水面下へ素早く沈むことができる釣用疑似餌及びそれに用いられる錘体を提供する。【解決手段】本発明の釣用疑似餌は、餌の形態を模した疑似餌本体２と、疑似餌本体２の先端に突設される突出部９と、疑似餌本体２の先端部に着脱可能に取り付けられる筒状の錘体８とを備える。錘体８は、突出部９が挿通できる貫通孔８ａを有し、突出部９を貫通孔８ａに挿通させて該貫通孔８ａから突出させた状態で疑似餌本体２の先端部外周に嵌め付けられる。【選択図】図５
2011167085.tif 000002
【特許請求の範囲】
【請求項１】
餌の形態を模した疑似餌本体と、
前記疑似餌本体の先端に突設される突出部と、
前記疑似餌本体の先端部に着脱可能に取り付けられる筒状の錘体と、
を備え、
前記錘体は、前記突出部が挿通できる貫通孔を有し、前記突出部を前記貫通孔に挿通させて該貫通孔から突出させた状態で前記疑似餌本体の先端部外周に嵌め付けられることを特徴とする釣用疑似餌。
【請求項２】
前記貫通孔は、前記突出部の形状に適合する形状を有することを特徴とする請求項１に記載の釣用疑似餌。
【請求項３】
前記錘体の内面には、前記疑似餌本体の外周に密着する軟質部材が配設されることを特徴とする請求項１または請求項２に記載の釣用疑似餌。
【請求項４】
前記錘体の前記貫通孔から突出される前記疑似餌本体の前記突出部に着脱自在に取り付けられることにより前記疑似餌本体からの前記錘体の脱落を防止する脱落防止部材を更に備えることを特徴とする請求項１ないし請求項３のいずれか１項に記載の釣用疑似餌。
【請求項５】
餌の形態を模した疑似餌本体の先端部に着脱可能に取り付けられる筒状の錘体であって、前記疑似餌本体の先端に突設される突出部が挿通できる貫通孔を有し、前記突出部を前記貫通孔に挿通させて該貫通孔から突出させた状態で前記疑似餌本体の先端部外周に嵌め付けられることを特徴とする錘体。
【請求項６】
前記貫通孔は、前記突出部の形状に適合する形状を有することを特徴とする請求項５に記載の錘体。
【請求項７】
前記疑似餌本体の外周に密着する軟質部材が内面に配設されることを特徴とする請求項５または請求項６に記載の錘体。
【発明の詳細な説明】
【技術分野】
【０００１】
本発明は、主としてイカ釣りに際して用いられる釣用疑似餌、および、それに用いられる錘体に関する。
【背景技術】
【０００２】
通常、主としてイカ釣用に用いられる釣用疑似餌は、海老や蝦蛄の形態を模した本体の後部に掛針を設けると共に、本体前方の下面側に落下を促がすための錘部を設けた構成となっている。
【０００３】
このような構成の釣用疑似餌に関し、特許文献１には、平板状の重錘（錘部）に、別体となった多数の副重錘（調整用錘）を、粘着性シートや磁着もしくは嵌合によって取り付け、落下速度を調整する技術が開示されている。また、特許文献２には、疑似餌本体に、係止部が形成された錘部を設け、この錘部に接続部を介して錘が連結された別体の錘体（調整用錘）を着脱可能にする釣用疑似餌であって、前記錘部に、前記接続部を介して錘体を挟持させると共に、前記係止部に錘体を保持させるようにした釣用疑似餌が開示されている。
【先行技術文献】
【特許文献】
【０００４】
【特許文献１】特開平１１−１２７７３１号公報
【特許文献２】特開２００２−２２３６６９号公報
【発明の概要】
【発明が解決しようとする課題】
【０００５】
ところで、前述した２つの特許文献に開示される釣用疑似餌はいずれも、疑似餌本体の前側下部のみに錘（錘部および調整用錘）が存在するため、調整用錘をいくら追加したとしても、図１３に示されるように、疑似餌本体１０２は、水面１００下に沈む際に直立姿勢になることができず、したがって、水中の所望の位置へと素早く沈むことができない。すなわち、疑似餌本体１０２の前側下部にしか錘（錘部１０４および調整用錘１０６）が存在しないと、キャストされた釣用疑似餌１１０は、着水時に、図１３の（ａ）の状態から（ｂ）の状態へと水中で傾くだけであり（疑似餌本体１０２の姿勢が直立するように変化しない）、そのため、図１３の（ｂ）に矢印で示されるように疑似餌本体１０２が水の抵抗を大きく受けて素早く沈まない。その結果、例えば潮の流れの影響などによって疑似餌本体１０２が所望のポイントから大きく外れてしまうといった事態も生じ得る。
【０００６】
また、前述した２つの特許文献に開示される釣用疑似餌は、疑似餌本体の前側下部の錘部に対して更に調整用錘を重ね合わせて取り付ける形態であり、取り付け面積が小さいため、何らかの衝撃によって調整用錘が錘部から脱落し易いという問題もある。
【０００７】
本発明は、前記事情に着目してなされたものであり、その目的とするところは、疑似餌本体の重量調整を容易に行なえ、調整用の錘が脱落し難いとともに、着水後に水面下へ素早く沈むことができる釣用疑似餌及びそれに用いられる錘体を提供することにある。
【課題を解決するための手段】
【０００８】
前記課題を解決するために、請求項１に記載の釣用疑似餌は、餌の形態を模した疑似餌本体と、前記疑似餌本体の先端に突設される突出部と、前記疑似餌本体の先端部に着脱可能に取り付けられる筒状の錘体とを備え、前記錘体は、前記突出部が挿通できる貫通孔を有し、前記突出部を前記貫通孔に挿通させて該貫通孔から突出させた状態で前記疑似餌本体の先端部外周に嵌め付けられることを特徴とする。
【０００９】
この請求項１に記載の釣用疑似餌によれば、錘体が疑似餌本体の先端部に取り付けられるため、疑似餌本体の先端部を相対的に且つ効果的に重くすることができ、それにより、（着水する際に、疑似餌本体から着水し易くなり）疑似餌本体を直立姿勢で水面下に沈めることができる。したがって、水の抵抗を受け難く、着水後に水面下へ素早く沈むことができる。その結果、潮の流れの影響を最小限に抑えて目的のポイントへ疑似餌を落とし込むことも可能になる。また、上記構成では、錘体を疑似餌本体の突出部に挿通して疑似餌本体の先端部に嵌め付けるだけで、疑似餌本体に重量を加えることができるため、疑似餌本体の重量調整が容易である。更に、上記構成において、錘体は、突出部に挿通されるとともに、疑似餌本体の先端部外周にわたって嵌め付けられるため、その内面形状を疑似餌本体の外面形状に適合させることができ、したがって、疑似餌本体から脱落し難い。
【００１０】
なお、上記構成において、疑似餌本体は、錘体とは別体の錘部を有していてもよい。その場合には、前記錘体が重量調整用の錘となり得る。また、錘体は、その重量が任意であり、異なる重量のものが複数用意されていることが好ましい。その場合には、重量調整を段階的に行なうことができ有益である。また、上記構成において、突出部は、釣糸が係止される釣糸係止部として形成されていてもよい。
【００１１】
また、請求項２に記載の釣用疑似餌は、請求項１に記載の釣用疑似餌において、前記貫通孔は、前記突出部の形状に適合する形状を有することを特徴とする。
【００１２】
この請求項２に記載の釣用疑似餌によれば、請求項１に記載の釣用疑似餌と同様の作用効果が得られるとともに、貫通孔の孔形状が突出部の形状に対応しているため、突出部が貫通孔に嵌合した状態で錘体が疑似餌本体に取り付けられ、疑似餌本体の長手方向に対して直交する方向での錘体のガタつきを抑制できる。
【００１３】
また、請求項３に記載の釣用疑似餌は、請求項１または請求項２に記載の釣用疑似餌において、前記錘体の内面には、前記疑似餌本体の外周に密着する軟質部材が配設されることを特徴とする。
【００１４】
この請求項３に記載の釣用疑似餌によれば、請求項１または請求項２に記載の釣用疑似餌と同様の作用効果が得られるとともに、前記軟質部材の存在により、錘体を疑似餌本体に対して密着して取り付けることができ、錘体と疑似餌本体とを一体化できる。ここで、「軟質」とは、錘体に比べて軟質であることを意味する。
【００１５】
また、請求項４に記載の釣用疑似餌は、請求項１ないし請求項３のいずれか１項に記載の釣用疑似餌において、前記錘体の前記貫通孔から突出される前記疑似餌本体の前記突出部に着脱自在に取り付けられることにより前記疑似餌本体からの前記錘体の脱落を防止する脱落防止部材を更に備えることを特徴とする。
【００１６】
この請求項４に記載の釣用疑似餌によれば、請求項１に記載の釣用疑似餌と同様の作用効果が得られるとともに、前記脱落防止部材によって疑似餌本体からの錘体の脱落を有効に防止できる。この場合、脱落防止を確実に果たせるように、脱落防止部材の最大外形寸法を前記貫通孔の孔径よりも大きくすることが好ましい。また、脱落防止部材は、釣糸が係止される釣糸係止部として形成されていてもよい。
なお、本発明は、前述した特徴を有する錘体も開示する。
【発明の効果】
【００１７】
本発明によれば、疑似餌本体の重量調整を容易に行なえ、調整用の錘が脱落し難いとともに、着水後に水面下へ素早く沈むことができる釣用疑似餌及びそれに用いられる錘体を提供できる。
【図面の簡単な説明】
【００１８】
【図１】本発明の第１の実施形態に係る釣用疑似餌の側面図である。
【図２】図１の釣用疑似餌の平面図である。
【図３】疑似餌本体と錘体と脱落防止部材とが分離された図１の釣用疑似餌の要部分解図である。
【図４】（ａ）は錘体の正面図、（ｂ）は錘体の側断面図である。
【図５】図４の錘体を疑似餌本体の先端部に取り付けた状態を示す一部断面を含む要部側面図である。
【図６】図１の釣用疑似餌の作用説明図である。
【図７】錘体の第１の変形例を示し、（ａ）は錘体の正面図、（ｂ）は疑似餌本体の先端部の側面図である。
【図８】錘体の第２の変形例を示し、（ａ）は錘体の正面図、（ｂ）は錘体の側断面図、（ｃ）は錘体の背面図、（ｄ）は疑似餌本体の先端の突出部の平面図、（ｅ）は疑似餌本体の先端の突出部の側面図、（ｆ）は錘体の平面図である。
【図９】図８（ａ）（ｂ）（ｃ）の錘体を図８（ｄ）（ｅ）の疑似餌本体の先端部に取り付けた状態を示す先端側拡大図である。
【図１０】錘体の第３の変形例の断面図である。
【図１１】本発明の第２の実施形態に係る釣用疑似餌の側面図である。
【図１２】本発明の第３の実施形態に係る釣用疑似餌を示し、（ａ）は側面図、（ｂ）は（ａ）のＡ−Ａ線に沿う断面図である。
【図１３】従来の釣用疑似餌の作用説明図である。
【発明を実施するための形態】
【００１９】
以下、添付図面を参照して、本発明に係る釣用疑似餌の実施形態について説明する。
図１〜図６は本発明の第１の実施形態を示している。図１に示されるように、本実施形態に係る釣用疑似餌１は、イカ釣りに適した形状として構成された疑似餌本体２を有している。疑似餌本体２は、海老や蝦蛄等の餌の形態を模しており、必要に応じて、目、髭等を取付け、色柄模様を付して構成される。
【００２０】
疑似餌本体２の後部には、イカを引っ掛ける掛針６が設けられているとともに、その前部（先端）には、魚釣用リールから繰り出される釣糸が連結係止される釣糸係止部として機能することも可能な突出部（“アイ”とも称する）９（図３等参照）が突設されている。この突出部９は、垂直面（釣用疑似餌１の泳動姿勢においてその長手軸方向および鉛直方向に延びる面）内でＵ字形に延在している（図３および図５参照）。また、疑似餌本体２の前方の下面側には、落下を促がすための錘部４が設けられている。なお、この錘部４には、随意的に通孔１３が形成されても良い。
【００２１】
また、本実施形態では、疑似餌本体２の先端部に筒状の錘体８を着脱可能に取り付けることができるようになっている。この錘体８は、例えばタングステン、ＳＵＳ、スズ等によって形成されており、本実施形態のように固定の錘部４が存在する場合には、錘部４とは別体の調整用錘として機能できる。無論、疑似餌本体２が錘部４を有していないケースも考えられる。
【００２２】
また、錘体８は、図３〜図５に明確に示されるように、その先端側に向かって先細る傾斜状の内面および外面を含んでおり、特に疑似餌本体２の先端側の外形（先細り形状）に適合する内面形状を有している。
【００２３】
また、錘体８は、疑似餌本体２の突出部９が挿通できる貫通孔８ａを先端面８ｂに有しており、基端開口８ｃ側から突出部９を貫通孔８ａに挿通させて該貫通孔８ａから突出させた状態で疑似餌本体２の先端部外周に嵌め付けられるようになっている（特に図５参照）。なお、錘体８の貫通孔８ａは、突出部９の形状とは無関係に円形を成している。また、貫通孔８ａから突出される疑似餌本体２の突出部９に直接に釣糸を接続することができる。
【００２４】
なお、本実施形態の釣用疑似餌１は、疑似餌本体２からの錘体８の脱落を防止するための脱落防止部材１０を更に備えていても良い。この脱落防止部材１０は、例えばフックまたは係止リングの形態を成しており、図５に示されるように錘体８の貫通孔８ａから突出される疑似餌本体２の突出部９に着脱自在に取り付けられるようになっている。この場合、脱落防止を確実に果たせるように、脱落防止部材１０の最大外形寸法を貫通孔８ａの開口寸法（直径Ｒ・・・図４参照）よりも大きくすることが好ましい。また、このように突出部９に対して取り付けられる脱落防止部材１０は、魚釣用リールから繰り出される釣糸１５が連結係止される釣糸係止部として機能することも可能である（図６参照）。
【００２５】
以上のように、本実施形態の釣用疑似餌１によれば、錘体８を疑似餌本体２の先端部に取り付けることより、疑似餌本体２の先端部を相対的に且つ効果的に重くすることができ、その結果、図６に示されるように、着水する際に疑似餌本体２の先端部から着水し易くなり、疑似餌本体２を直立姿勢で水面３０下に沈めることができる。したがって、水の抵抗を受け難く、着水後に水面３０下へ素早く沈めることができ、潮の流れの影響を最小限に抑えて目的のポイントへと速やかに達することができる。また、本実施形態の構成では、錘体８を疑似餌本体２の突出部９に挿通して疑似餌本体２の先端部に嵌め付けるだけで、疑似餌本体２に重量を加えることができるため、疑似餌本体２の重量調整が容易である。更に、本実施形態の構成において、錘体８は、突出部９に挿通されるとともに、疑似餌本体２の先端部外周にわたって嵌め付けられるため、その内面形状を疑似餌本体２の外面形状に適合させることができ、したがって、疑似餌本体２から脱落し難い。
【００２６】
また、本実施形態の釣用疑似餌１は、錘体８が疑似餌本体２の先端側の外形に適合する先細りの内面形状を有しているため、前述したように錘体８の内面形状が疑似餌本体２の外面形状に適合して疑似餌本体２からの錘体８の脱落を効果的に防止できるとともに、疑似餌本体２の先端部外周に対する錘体８の取り付け及び取り外しをスムーズに行なうことができる。
【００２７】
また、本実施形態の釣用疑似餌１は、錘体８の貫通孔８ａから突出される疑似餌本体２の突出部９に脱落防止部材１０を着脱自在に取り付けることができるようになっているため、脱落防止部材１０によって疑似餌本体２からの錘体８の脱落を有効に防止できる。
【００２８】
なお、本実施形態において、錘体８は、その重量が任意であり、異なる重量のものが複数用意されることが好ましい。その場合には、重量調整を段階的に行なうことができ有益である。
【００２９】
図７は錘体８の第１の変形例を示している。図示のように、本変形例の錘体８Ａの貫通孔８ａ’は、垂直面内でＵ字形に延在する疑似餌本体２の突出部９（図７の（ｂ）参照）の向きに合わせて突出部９の形状に適合（ほぼ一致）する形状、すなわち、垂直方向に延びる略矩形の形状を成している。このように、通孔８ａ’の孔形状が突出部９の形状に対応していると、突出部９が貫通孔８ａ’に嵌合した状態で錘体８が疑似餌本体２に取り付けられるため、疑似餌本体２の長手方向に対して直交する方向での錘体８のガタつきを抑制できる。なお、本変形例においても、疑似餌本体２からの錘体８の脱落を防止するために、前述した実施形態と同様の脱落防止部材１０を設けることができるが、その場合も、脱落防止部材１０の最大外形寸法は図７の（ａ）に示される貫通孔８ａ’の水平方向寸法ｒ１よりも大きく設定される。
【００３０】
図８および図９は錘体８の第２の変形例を示している。図示のように、本変形例の錘体８Ｂの貫通孔８ａ”は、水平面内でＵ字形に延在する疑似餌本体２の突出部９Ａ（図８の（ｄ）（ｅ）参照）の向きに合わせて突出部９Ａの形状に適合（ほぼ一致）する形状、すなわち、水平方向に延びる略矩形の形状を成している（図８の（ａ）〜（ｃ）参照）。したがって、第１の変形例と同様、疑似餌本体２の長手方向に対して直交する方向での錘体８Ｂのガタつきを抑制できる。なお、本変形例においても、疑似餌本体２からの錘体８Ｂの脱落を防止するために、前述した実施形態と同様の脱落防止部材１０を設けることができる（図９参照）が、その場合も、脱落防止部材１０の最大外形寸法は図８の（ａ）に示される貫通孔８ａ”の垂直方向寸法ｒ２よりも大きく設定される。
【００３１】
図１０は錘体８（８Ａ，８Ｂ）の第３の変形例を示している。図示のように、本変形例では、錘体８（８Ａ，８Ｂ）の内面に、疑似餌本体２の先端部外周に密着する軟質部材４０が配設されている。軟質部材４０は、錘体８に比べて軟質な材料から成り、例えば合成ゴム、発泡剤（ＥＶＡ、ウレタン）等によって形成される。このような軟質部材４０の存在により、錘体８（８Ａ，８Ｂ）を疑似餌本体２に対して密着して取り付けることができ、錘体８と疑似餌本体２とを一体化できる。なお、図１０の錘体は前述した第２の変形例に対応する貫通孔８”を有しているが、これは一例として図示したものであり、本変形例の軟質部材４０が前述した実施形態および第１および第２の変形例の全てに適用できることは言うまでもない。
【００３２】
図１１は本発明の第２の実施形態を示している。図示のように本実施形態に係る釣用疑似餌１は、錘体８（８Ａ，８Ｂ）を疑似餌本体２に対して連結するための連結体５０を有している。この連結体５０は、錘体８（８Ａ，８Ｂ）に取り付け固定された収縮性のあるゴムバンドから成り、疑似餌本体２の錘部４に引っ掛けられることにより錘体８（８Ａ，８Ｂ）を疑似餌本体２に対して連結する。このような連結体５０を設けると、錘体８と疑似餌本体２とを一体化することができ、錘体８（８Ａ，８Ｂ）のガタつきを防止できる。
【００３３】
図１２は本発明の第３の実施形態を示している。図示のように本実施形態に係る釣用疑似餌１も、第２の実施形態と同様、錘体８（８Ａ，８Ｂ）を疑似餌本体２に対して連結するための連結体６０を有している。この連結体６０は、錘体８（８Ａ，８Ｂ）に取り付け固定された弾力性のある略Ｕ字形のアームから成り、その互いに向き合う係止片６０ａ，６０ａ同士を近接させる方向に付勢力が付与されている。そして、これらの係止片６０ａ，６０ａを錘部４の前述した通孔１３に挿入して弾力的に係止させることにより錘体８（８Ａ，８Ｂ）が疑似餌本体２に対して連結される。このような連結体６０を設けても、錘体８（８Ａ，８Ｂ）と疑似餌本体２とを一体化することができ、錘体８のガタつきを防止できる。
【符号の説明】
【００３４】
１  釣用疑似餌
２  疑似餌本体
８，８Ａ，８Ｂ  錘体
８ａ，８ａ’，８ａ”  貫通孔
９，９Ａ  突出部
１０  脱落防止部材
４０  軟質部材
【図１】
2011167085.tif 000003
【図２】
2011167085.tif 000004
【図３】
2011167085.tif 000005
【図４】
2011167085.tif 000006
【図５】
2011167085.tif 000007
【図６】
2011167085.tif 000008
【図７】
2011167085.tif 000009
【図８】
2011167085.tif 000010
【図９】
2011167085.tif 000011
【図１０】
2011167085.tif 000012
【図１１】
2011167085.tif 000013
【図１２】
2011167085.tif 000014
【図１３】
2011167085.tif 000015